(57)【特許請求の範囲】
【請求項１】
画像を記憶した第１記憶手段と、
印刷のために搬送される用紙上の画像を読み取る読み取り手段と、
前記第１記憶手段に記憶されている画像と前記読み取り手段で読み取った画像とを合成する合成手段と、
印刷を禁止するデータを記憶した第２記憶手段と、
前記合成手段が合成した画像から得られるデータと前記第２記憶手段の記憶データとを比較し、両データが一致するとき前記第１記憶手段に記憶された画像の印刷を禁止する制御手段と
を有する偽造防止装置。
【発明の詳細な説明】
【０００１】
【発明の属する技術分野】
本発明は、本来複製印刷されるべきでない特定原稿、例えば紙幣や有価証券等（以下紙幣等という。）の偽造を防止する偽造防止装置に関するものである。
【０００２】
【従来の技術】
従来、コンピュータとプリンタがケーブルで接続されたシステムにおいて、コンピュータから送出されてくる画像データを印刷する際、同画像が紙幣等の複写が法律上禁止されているものである場合、偽造防止を図るため、プリンタのプリンタコントローラ内に印刷を禁止するデータとしてマッチング用データがあらかじめ貯えられ、図５に示したように、このマッチング用データ５２と送出されてきた入力画像５１を比較して両者が一致する場合にはプリンタで印刷ができないようにしていた。
【０００３】
しかし、このような従来のシステムにおいては、紙幣等の画像を分割して同じ用紙に印刷すると、図７、図８に示すように、第１の入力画像７１とマッチング用データ７２と比較しても一致しないため、印刷をすることができる。また、第２の入力画像８１とマッチング用データ７２とを比較しても一致しないため、印刷をすることができる。従って、図６に示したように、第１画像データ６３（第１の入力画像７１）を用紙６０に印刷して得た第１出力６１に第２画像データ６４（第２の入力画像８１）を印刷すると、その第２出力６２は紙幣等の画像を印刷したものと同等となり、偽造を防止することができなかった。
【０００４】
【発明が解決しようとする課題】
本発明は、上述の問題点に着目してなされたもので、複製すべきでない画像データについては、画像を分割して印刷しようとしても、印刷を禁止し、偽造を防止することが可能な偽造防止装置を提供することを目的とする。
【０００６】
【課題を解決するための手段】
請求項１記載の発明は、画像を記憶した第１記憶手段と、印刷のために搬送される用紙上の画像を読み取る読み取り手段と、前記第１記憶手段に記憶されている画像と前記読み取り手段で読み取った画像とを合成する合成手段と、印刷を禁止するデータを記憶した第２記憶手段と、前記合成手段が合成した画像から得られるデータと前記第２記憶手段の記憶データとを比較し、両データが一致するとき前記第１記憶手段に記憶された画像の印刷を禁止する制御手段とを有したものである。
【０００７】
この構成においては、画像を分割して一部を印刷し、残りの画像を同じ用紙に印刷しようとしても、前者の分割画像の印刷画像が読み取り手段により読み取られ、それとこれから印刷しようとする記憶手段に記憶された画像とが合成され、この合成画像のデータが印刷を禁止するデータと一致するとき、これから印刷しようとする画像の印刷が禁止される。なお、前記データは画像そのものであってもよいし、画像の特徴を抽出したものであってもよい。また、画像の印刷禁止は、印刷画像に「見本」や「偽物」という文字を重ね印刷したり、べた塗りや線引きをするなどの改変画像を印刷するものであってもよい。また、印刷禁止データは、紙幣その他の有価証券等を含む。
【０００８】
【発明の実施の形態】
以下、本発明の実施例に係る偽造防止装置が適用されたコンピュータとプリンタの構成について図１乃至図４に基づき説明する。図１はコンピュータ１１とプリンタ１２の接続例を示す。コンピュータ１１とプリンタ１２の通信ポートは、ケーブル１３などの接続手段により接続される。この接続手段には、シリアル、パラレル、ＳＣＳＩ、ＩＥＥＥ１３９４、ＵＳＢ、Ｅｔｈｅｒｎｅｔなど多数の接続態様に応じるものが用いられる。
【０００９】
図２はコンピュータ１１の内部構造を示す。その内部構造は、複数の画像を合成し、合成した画像から得られるデータと印刷を禁止するデータと比較し両者が合致している場合には偽造防止処理を行うＣＰＵ２１と、コンピュータ１１の起動やインターフェイスに関する初期設定が含まれるＲＯＭ２２と、ＲＡＭ２３と、画像処理ソフトウェア、印刷を禁止するデータを含む画像データなどを保存し、前述のＲＡＭ２３に複数の画像データの合成など必要に応じて画像データを転送する外部記憶装置２４と、コンピュータ１１内部の信号を、通信ポート２６を使って外部機器に送信するインターフェース回路２５とからなる。これら各ブロック間の信号のやりとりはシステムバス２７を通じて行われ、上記コンピュータ１１と外部機器であるプリンタ１２間のデータのやりとりはデータ通信経路２８を通じて行われる。
【００１０】
図３はプリンタ１２としてカラーレーザプリンタの場合の概略構造を示す。同プリンタ１２は、印刷データ入力に基きラスタリング、露光、現像、転写、定着の各工程を経て印刷動作を行う。
【００１１】
印刷データは、経路３５１によりプリンタ１２へ入力される。プリンタ１２へ入力された印刷データはプリンタコントローラ３５０においてラスタイメージデータに展開される。
【００１２】
上記プリンタコントローラ３５０によって展開されたラスタイメージデータをレーザ部３０１に入力し、レーザ部３０１からレーザビームを発射する。レーザビームは光学系ポリゴンミラー３０５によって感光ドラム３０２へ照射される。感光ドラム３０２上では、帯電器３０３によって一様に帯電された後、照射されたレーザビームによって画像が形成される（露光）。この時点での画像は不可視の状態で電荷によって形成されている。
【００１３】
なお、本例では、レーザビームで露光するもので説明しているが、ＬＥＤを使って露光する方式のものもあり、これを用いたものであってもよく、また光学系にあってはＦ―θレンズなどを用いることは周知のことである。
【００１４】
現像においては、トナーカートリッジ３１１乃至３１４（イエロー部、ブラック部、シアン部およびマゼンタ部の各プロセスカラー）のトナーによって感光ドラム３０２上に可視の像が形成される。各プロセスカラー毎にレーザビームは４回発射される。感光ドラム３０２上に残った各プロセスカラーのトナーは感光ドラムクリーナー３０４で除去される。この除去は各プロセスカラー毎に４回行われる。
【００１５】
現像された像は、転写ドラム３２０あるいは転写ドラム３２０に巻き付けられた用紙３３０、３３５に転写される。転写は各プロセスカラー毎に行われ、転写ドラム方式の場合には直接に用紙上に像が転写される。転写ドラム３２０の上に残ったトナーは転写ドラムクリーナー３２１で除去される。
【００１６】
手差しトレイからの用紙経路３３１あるいは給紙カセットからの用紙経路３３２から給紙される用紙３３０上に像が形成された後、用紙は定着器３４０のヒーターによって熱せられ、トナーを溶かして用紙３３０に像を定着させる。このとき、定着器３４０にトナーが付着しないように定着オイルロール３４２によって定着器３４０にオイルが供給されている。定着後の用紙は、側面排紙トレイからの排紙経路３３３あるいは上面排紙トレイからの排紙経路３３４を通ってプリンタ１２の外部へ排紙される。
【００１７】
図４はプリンタコントローラの概略を示す。プリンタコントローラ３５０は所定の演算処理を行うＣＰＵ４６２、色変換テーブル、画像処理テーブルやインターフェイスに関する初期設定が含まれるＲＯＭ４６５、コンピュータ１１から受け取った画像データを一時的に保管しておくＲＡＭ４６４、データの送受信、プロトコルレシーバ、コマンドインタプリタを含みコンピュータ１１の命令の解釈を行うインターフェイス回路４６１、上記ＲＯＭ４６５内のデータに基づいてエンジン部に適した画像データを加工する画像処理ＡＳＩＣ４６３、エンジン部のレーザー、ドラム、各部モータの制御を行うエンジン出力コントローラ４６６からなり、各ブロック間の信号の授受はバス４７０を通して行われる。
【００１８】
次に、上記図１乃至図４を参照して、コンピュータ１１の外部記憶装置２４あるいはＲＡＭ２３に保存されている画像データを印刷するときの流れを説明する。画像データはコンピュータ１１のＣＰＵ２１によりケーブル１３を介してプリンタ１２へ送られ、プリンタ１２のＲＡＭ４６４に一時的に貯えられる。画像データは画像処理ＡＳＩＣ４６３により、ＲＯＭ４６５の色変換テーブル、画像処理テーブルを使ってエンジン部３００の出力方式にあったデータに変換される。エンジン部の準備が整うと、画像データはエンジン出力コントローラ４６６によりエンジン部３００に送られ、出力される。
【００１９】
図５に紙幣等の一般の認識方法について示す。あらかじめ、紙幣等の画像データをマッチング用データ５２として持ち、紙幣等の画像入力画像５１に対してマッチング用データとの比較を行う。比較により得られた値がある閾値以上である時、入力画像５１は紙幣等の画像であると認識する。
【００２０】
次に、分割印刷による偽造について説明する。図６に分割印刷の流れを示す。画像データを印刷するとき、図５に示したように、入力画像５１とマッチング用データ５２との比較により、紙幣等の画像データがどうかが判定される。画像データ１（図６―６３）は、図７に示すように入力画像７１とマッチング用データ７２が一致しないので印刷が行われる。画像データ２（図６―６４）も、図８に示すように、入力画像８１とマッチング用データ８２が一致しないため印刷が行われる。画像データ１（図６―６３）を印刷した出力１（図６―６１）に画像データ２（図６―６４）を印刷すると、紙幣等の画像を印刷したものと同等の出力２（図６―６２）となる。
【００２１】
第１実施例によるスキャナを用いない偽造防止装置について説明する。画像を分割して順次に印刷する（分割印刷）がなされようとしたとき、コンピュータ１１またはプリンタコントローラ３５０は分割画像データを合成し、この合成された画像データとコンピュータ１１内の外部記憶装置２４に予めマッチング用データとして記憶された印刷を禁止するデータとを比較し、この比較により得られた値がある閾値以上であるとき、その画像は紙幣等の画像であると認識して印刷を禁止する。これによって紙幣等の分割された２以上の入力画像を合成して、プリンタ１２で印刷されないことになり、偽造を防止することができる。
【００２２】
第２の実施例のフローチャートを図９に示す。プリンタ１２の用紙搬送経路上に位置する転写ドラム３２０の手前にスキャナ（読み取り手段）３９９（図３）を搭載する。印刷のために用紙の搬送が開始されると、スキャナ３９９は印刷された用紙上の画像を読み取る（ステップＳ１）。このスキャナ３９９により読み取られた画像は、プリンタコントローラ３５０（図３）に伝送される。プリンタコントローラ３５０のＲＡＭ４６４（図４）には、コンピュータ１１から伝送されてくる印刷画像データとスキャナ３９９が読み取る印刷用紙上の画像を合成するプログラムと、画像が紙幣などの印刷を禁止するデータであるか否かを判別するプログラムが搭載されている。ＣＰＵ４６２は、スキャナ３９９により読み取られた画像とコンピュータから受け取った印刷画像データとを合成し（ステップＳ２）、この合成された印刷画像データが印刷を禁止するデータと一致するか否かを判断し（ステップＳ３）、印刷を禁止するデータと一致していると判断された場合には印刷をしないようにするなどの偽造防止処理を行う（ステップＳ４）。
【００２３】
第３の実施例のフローチャートを図１０に示す。スキャナ３９９の配置は前述と同じである。コンピュータのＲＡＭ２３（図２）には、印刷を行う画像とプリンタに搭載されたスキャナが読み取る印刷用紙上の画像を合成するプログラムと、画像が紙幣等であるかを判別するプログラムが搭載される。印刷のために用紙の搬送が開始されると、スキャナ３９９は印刷された用紙上の画像を読み取る（ステップＳ１１）。このスキャナ３９９により読み取られた画像は、プリンタコントローラ３５０（図３）を介してコンピュータ１１（図１）へ伝送され（ステップＳ１１―１）、コンピュータ１１（図１）で印刷画像データとの合成を行う（ステップＳ１２）。ＣＰＵ２１は合成された印刷画像データが印刷を禁止するデータと一致するか否かを判断し（ステップＳ１３）、印刷を禁止するデータと一致していると判断された場合には印刷をしないようにするなど偽造防止処理を行う（ステップＳ１４）。
【００２４】
なお、請求項でいう合成手段は、具体的にはコンピュータ１１内のＣＰＵ２１、またはプリンタ１２内のＣＰＵ４６２で、コンピュータ１１内のＣＰＵ２１のみで合成画像を形成させることも、プリンタ１２内のＣＰＵ４６２のみで合成画像形成装置を形成させること、あるいは両方のＣＰＵ２１、４６２で形成させることもできる。
【００２５】
また、請求項でいう第２記憶手段は、コンピュータ１１内の外部記憶機器２４や、ＲＡＭ２３、またはプリンタ１２内のＲＡＭ４６４で、いずれか一方あるいは双方に印刷を禁止するデータを記憶させておくこともできる。
また、請求項でいう第１記憶手段は、コンピュータ１１内の外部記憶機器２４や、ＲＡＭ２３、またはプリンタ１２内のＲＡＭ４６４であり、いずれか一方あるいは双方に画像データを記憶させておくこともできる。
【００２６】
また、請求項でいう制御手段は、コンピュータ１１内のＣＰＵ２１、またはプリンタ１２内のＣＰＵ４６２で、合成画像から得られるデータと第２記憶手段に記憶された印刷を禁止するデータとが一致するか否かを判断し、一致している場合に合成した画像の印刷をしないようにするなど偽造防止処理を行う。コンピュータ１１内のＣＰＵ２１が判断する場合は、偽造防止処理を行う制御信号をプリンタ１２へ伝送する。
【００２７】
偽造防止処理には、上記合成された印刷画像データを上述のようなプリンタ１２で印刷をできなくすること以外に印刷画像に「見本」や「偽物」という文字を重ね印刷することやべた塗りや線引きをする他改変画像を印刷するものを含む。
【００２８】
【発明の効果】
以上のように本発明によれば、複数の画像を合成して得られるデータと記憶されている印刷を禁止するデータとを比較し、これらが一致するとき画像の印刷を禁止するようにしたので、たとえ画像を分割して印刷しようとしても確実に偽造を防止することができる。
【図面の簡単な説明】
【図１】本発明の実施例に係る偽造防止装置が適用されるコンピュータとプリンタの接続例を示す図である。
【図２】コンピュータの内部構造を示す図である。
【図３】カラーレーザプリンタの概略構造図である。
【図４】プリンタのコントローラ部の概略図である。
【図５】一般の入力画像とマッチング用データとの比較例を示す図である。
【図６】分割印刷の工程を示す図である。
【図７】分割入力画像とマッチング用データとの比較例を示す図である。
【図８】他の分割入力画像とマッチング用データとの比較例を示す図である。
【図９】第２実施例のフローチャートである。
【図１０】第３実施例のフローチャートである。
【符号の説明】
１１    コンピュータ
１２    プリンタ
２１    ＣＰＵ
２２    ＲＯＭ
２３    ＲＡＭ
２４    外部記憶機器
３５０  プリンタコントローラ
４６２  ＣＰＵ
４６４  ＲＡＭ
【図１】
0003627844.tif 000002
【図２】
0003627844.tif 000003
【図３】
0003627844.tif 000004
【図４】
0003627844.tif 000005
【図５】
0003627844.tif 000006
【図６】
0003627844.tif 000007
【図７】
0003627844.tif 000008
【図８】
0003627844.tif 000009
【図９】
0003627844.tif 000010
【図１０】
0003627844.tif 000011